(57)【要約】      （修正有）【課題】傘を畳まないで駐車料金を清算でき、精算機の上部に取り付けられ、傘を保持するためのホルダーを提供する。【解決手段】ホルダー１０は、断面を略Ｌ字状の形状とする鉄、アルミニウム等の金属あるいはプラスチックで形成される。ホルダー１０は、その一端を精算機１１の後面上部に、例えばねじ等で固定され、途中で円弧状に曲り、その他端を精算機１１の前面から若干張り出すように設けられる。ホルダー１０は、精算機１１の前面に近づくにつれ徐々に高くなるように傾斜して取り付けられる。【選択図】図２
0003215300.tif 000002
【実用新案登録請求の範囲】
【請求項１】
料金を清算する精算機の上部に取り付けられるホルダーにおいて、
前記ホルダーは、略Ｌ字状の断面を有し、その一端を前記精算機に取付けるための取付部およびその他端に傘の中棒を入れるための切欠部を有する、
ことを特徴とするホルダー。
【請求項２】
前記ホルダーの前記一端は前記精算機の後部に取付けられ、前記ホルダーの前記他端は前記精算機の前面より出ていることを特徴とする請求項１記載のホルダー。
【請求項３】
前記切欠部の側面に摩擦部材が取り付けられることを特徴とする請求項１記載のホルダー。
【考案の詳細な説明】
【技術分野】
【０００１】
本考案は、傘を保持するためのホルダーに関し、さらに詳しくは駐車料金の精算機に取り付けられた、傘を保持するためのホルダーに関する。
【背景技術】
【０００２】
有料駐車場に設置される精算機は、その精算機を雨水から保護するとともにその精算機を利用する利用者を雨水から保護するために、精算機上部にテントを設ける。特開２００３−６７２８号公報は、このようなテントを設けた精算機を開示する。
【先行技術文献】
【特許文献】
【０００３】
【特許文献１】特開２００３−６７２８号公報
【考案の概要】
【考案が解決しようとする課題】
【０００４】
しかしながら、上記公報に開示された精算機は、上部に取り付けられたテントにより、利用者を雨水から保護するものの、傘をさす利用者にとっては、傘を畳み精算機に立て掛ける必要があり、面倒である。また、テントが精算機から張り出しているので、精算機を設置する場所を広く確保する必要がある。さらにその張り出しのため、自動車のスムーズな通行に支障をきたす虞がある。さらに、風圧に対処するために、精算機に頑丈に取り付け、高い強度を確保する必要がある。
【課題を解決するための手段】
【０００５】
本考案は、上記課題を解決するためになされたものであり、料金を清算する精算機の上部に取り付けられるホルダーは、略Ｌ字状の断面を有し、その一端を精算機に取付けるための取付部およびその他端に傘の中棒を入れるための切欠部を有することを特徴とする。
【０００６】
また、本考案は、ホルダーの一端は精算機の後面に取付けられ、ホルダーの他端は精算機の前面より出ていることを特徴とする。
【０００７】
さらに、本考案は、切欠部の側面にゴムまたはプラスチック等の摩擦部材を取り付けていることを特徴とする。
【考案の効果】
【０００８】
本考案に係るホルダーを精算機に取り付けることにより、雨天において傘を閉じる必要がなく、また雨水に濡れることなく精算機を利用することができる。また、精算機からのホルダーの張り出しが少ないので、精算機の設置場所を少なくすることができる。さらに、ホルダーを小さくすることができるので、ホルダーを取り付けた精算機に対する風圧を軽減することができる。
【図面の簡単な説明】
【０００９】
【図１】本考案の一実施例である傘を置くためのホルダーを設置した精算機の斜視図を示す。
【図２】本考案の一実施例である図１の精算機のホルダーに傘を置いた状態の精算機の側面図を示す。
【図３】本考案の一実施例である他のホルダーの形状を示す。
【図４】本考案の一実施例であるさらに他のホルダーの形状を示す。
【図５】本考案の一実施例であるさらに他のホルダーの形状を示す。
【考案を実施するための形態】
【００１０】
図１は、本考案の一実施例であるホルダー１０を取り付けた精算機１１の斜視図であり、図２は、ホルダー１０の切欠部１２に傘１３を置いた状態の側面図を示す。図１の精算機１１の前面に設けられた操作部１４や表示部１５、その他の部分は、その詳細を省略する。
【００１１】
図２を参照して、ホルダー１０は、断面を略Ｌ字状の形状とする鉄、アルミニウム等の金属あるいはプラスチックで形成される。ホルダー１０は、その一端を精算機１１の後面上部に、例えばねじ等で固定され、途中で円弧状に曲り、その他端を精算機１１の前面から若干張り出すように設けられる。ホルダー１０は、精算機１１の前面に近づくにつれ徐々に高くなるように傾斜して取り付けられる。
【００１２】
以下、有料駐車場を利用した利用者が、駐車料金を清算する場合を想定して説明するが、これに限られることはなく、精算機は、路側に設置された飲料水やたばこの自動販売機を含み、その上部に本考案に係るホルダーを取り付けることも可能である。
【００１３】
図２に示されるように、雨天中に精算機を利用者は、傘を畳むことなく傘１３の中棒１６をホルダー１０の切欠部１２に入れることにより、傘１３をホルダー１０上に置くことができる。この状態で、利用者は、雨水を避け精算機１１を操作して、駐車料金を清算することができる。ホルダー１０は、精算機１１の前面に近づくにつれ徐々に高くなる傾斜を有しているので、傘１３をホルダー１０上に置いても、傘１３が前にずれ落ちることはない。
【００１４】
図１に示すホルダー１０は、精算機１１と同じ横幅を有しているが、ホルダー１０の横幅を適宜狭くしてもよい。ホルダー１０に設けられる切欠部は、傘の中棒１６を入れて傘１３をホルダー１０上に置くことができれば、いかような形状であってもよい。図３は、中棒１６を入れ込むだけの単純な構造を有する、横幅を狭くしたホルダーの上部から見た切欠部１２を示す。また、図４は、同様に、中棒１６を前から入れ、横にずらせて保持できる構造の切欠部１７を示す。切欠部１７の構造であれば、風があっても傘１３が切欠部１７から外れて落ちることはない。さらに、図５は、奥が徐々に狭くなって行く構造を有する切欠部１８を示す。図５に示す構造であれば、中棒１６を少し圧迫して保持できるので、風により傘１３が外れ落ちることはない。
【００１５】
また、切欠部１２，１７，１８の側面にゴム、プラスチック等の摩擦抵抗を有する摩擦部材を貼着することにより、中棒１６の切欠部１２，１７，１８からの外れ落ちをより防止することができるとともに切欠部１２，１７，１８による中棒１６に対する引っかき傷の発生を防止することができる。
【００１６】
さらに、ホルダーを精算機の後部に取り付けるのではなく、精算機の左右あるいは前面に取り付けても上述と同じ効果が得られる。
【産業上の利用可能性】
【００１７】
上述したように、ホルダーを精算機に取り付けることにより、雨天において傘を閉じる必要がなく、また雨水に濡れることなく精算機を利用することができる。また、精算機からのホルダーの張り出しが少ないので、精算機の設置場所を少なくすることができる。さらに、ホルダーを小さくすることができるので、ホルダーを取り付けた精算機に対する風圧を軽減することができる。
【符号の説明】
【００１８】
１０  ホルダー
１１  精算機
１２，１７，１８  切欠部
１３  傘
１６  中棒
【図１】
0003215300.tif 000003
【図２】
0003215300.tif 000004
【図３】
0003215300.tif 000005
【図４】
0003215300.tif 000006
【図５】
0003215300.tif 000007